(57)【要約】【課題】容易に着脱可能であって、ラッチ装置による固定が外れても開放を防止する保持手段を備えた開閉式の照明器具を提供する。【解決手段】照明器具１は、上蓋８および器具本体９の一方に設けられた係止凸部６と、略Ｕ字状に形成され、一方の脚部７Ａは上蓋８および器具本体９の他方に固定されるとともに、他方の脚部７Ｂは係止凸部６に係合する係止部を有して自由端とされた弾性体７とを有してなり、上蓋８で器具本体９の上部開口を閉塞することによって、弾性体７の自由端側は、係止凸部６に押圧されて両脚部７Ａ，７Ｂが接近する方向に変形し、係止凸部６が係止部に係合可能な位置となったときに弾性復帰するように形成されている保持手段を具備する。【選択図】図６
2004342469.tif 000002
【特許請求の範囲】
【請求項１】
上蓋と、上蓋によって開閉される上部開口および透光性カバーによって閉塞された投光開口を有する器具本体とを有してなる灯具と；
灯具に収納され、投光開口より放射光を出射する光源と；
灯具の一端側に設けられて上蓋または器具本体を回動自在に軸支する枢着部および灯具の他端側に設けられて上蓋および器具本体を開閉自在に組み付けるラッチ装置を有する固定手段と；
ラッチ装置側の位置であって上蓋および器具本体の一方に設けられた係止凸部と、略Ｕ字状に形成され、一方の脚部は上蓋および器具本体の他方に固定されるとともに、他方の脚部は係止凸部に係合する係止部を有して自由端とされた弾性体とを有してなり、上蓋で器具本体の上部開口を閉塞することによって、弾性体の自由端側は、係止凸部に押圧されて両脚部が接近する方向に変形し、係止凸部が係止部に係合可能な位置となったときに弾性復帰するように形成されている保持手段と；
を具備していることを特徴とする照明器具。
【請求項２】
上蓋と、上蓋によって開閉される上部開口および透光性カバーによって閉塞された投光開口を有する器具本体とを有してなる灯具と；
灯具に収納され、投光開口より放射光を出射する光源と；
灯具の一端側に設けられて上蓋または器具本体を回動自在に軸支する枢着部および灯具の他端側に設けられて上蓋および器具本体を開閉自在に組み付けるラッチ装置を有する固定手段と；
ラッチ装置側の位置であって上蓋および器具本体の一方に設けられた係止凸部と、略Ｕ字状に形成され、一方の脚部は上蓋および器具本体の他方に固定されるとともに、他方の脚部は係止凸部に係合する開口部を有して自由端とされた弾性体とを有してなり、上蓋で器具本体の上部開口を閉塞することによって、弾性体の自由端側は、係止凸部に押圧されて両脚部が接近する方向に変形し、係止凸部が開口部に係合可能な位置となったときに弾性復帰するように形成されている保持手段と；
を具備していることを特徴とする照明器具。
【請求項３】
係止凸部は、ラッチ装置のクランプ金具が取り付けられている取付基板に設けられていることを特徴とする請求項１または２記載の照明器具。
【発明の詳細な説明】
【０００１】
【発明の属する技術分野】本発明は、街路灯やトンネル照明などの屋外で使用される照明器具に関する。
【０００２】
【従来の技術】街路灯やトンネル照明器具など、高所や交通量の多い場所に設置される照明器具は、ランプ交換や清掃などのメンテナンス作業を容易かつ迅速に行えるようにするために、例えば上蓋および器具本体の二重構造であり、ラッチ装置を用いた開閉式のものが使用されている（例えば、特許文献１参照。）。このラッチ装置は、強風や振動等によりロックが解除される場合があるので、近年、ラッチ装置との二重ロック構造を有する照明器具が提供されている（例えば、非特許文献１参照。）。
【０００３】
当該照明器具は、上蓋に係止凸部が設けられ、器具本体に略コ字形の切り欠きを有するスプリング材からなる掛け金が設けられている。そして、上蓋を器具本体に被せたときに、係止凸部が切り欠きに挿通される。これにより、掛け金が係止凸部に係止され、ラッチ装置が外れても、上蓋および器具本体の開き（開放）が防止されるものである。
【０００４】
【特許文献１】特開２０００−３２２９０３号公報（第５頁、第１図）
【０００５】
【非特許文献１】松下電工（株）ＴＵＮＮＥＬ  ＬＩＧＨＴＩＮＧカタログ（平１５．３．１５現在）、ＬＬＣＴ１Ｂ７５３、第１６頁
【０００６】
【発明が解決しようとする課題】前記照明器具において、掛け金の器具本体からの突出長は短いので、掛け金に剛性のスプリング材を用いると、係止凸部および掛け金によるロックを解除するときに、掛け金を外方に変形させることに力を要するという欠点を有する。すなわち、狭いスペースに嵌め易いが、取り外しにくいという欠点を有する。逆に、掛け金に軟性のスプリング材を用いると、振動等により、掛け金が係止凸部から外れるおそれがあり、二重ロックの信頼性が低下するという欠点を有する。
【０００７】
本発明は、容易に着脱可能であって、ラッチ装置による固定が外れても開放を防止する保持手段を備えた開閉式の照明器具を提供することを目的とする。
【０００８】
【課題を解決するための手段】請求項１に記載の照明器具の発明は、上蓋と、上蓋によって開閉される上部開口および透光性カバーによって閉塞された投光開口を有する器具本体とを有してなる灯具と；灯具に収納され、投光開口より放射光を出射する光源と；灯具の一端側に設けられて上蓋または器具本体を回動自在に軸支する枢着部および灯具の他端側に設けられて上蓋および器具本体を開閉自在に組み付けるラッチ装置を有する固定手段と；ラッチ装置側の位置であって上蓋および器具本体の一方に設けられた係止凸部と、略Ｕ字状に形成され、一方の脚部は上蓋および器具本体の他方に固定されるとともに、他方の脚部は係止凸部に係合する係止部を有して自由端とされた弾性体とを有してなり、上蓋で器具本体の上部開口を閉塞することによって、弾性体の自由端側は、係止凸部に押圧されて両脚部が接近する方向に変形し、係止凸部が係止部に係合可能な位置となったときに弾性復帰するように形成されている保持手段と；を具備していることを特徴とする。
【０００９】
本発明および以下の各発明において、特に言及しない限り、各構成は以下による。
【００１０】
上蓋および器具本体は、器具本体に対して上蓋が開閉されてもよく、上蓋に対して器具本体が開閉されるようにしてもよい。また、ラッチ装置は、上蓋および器具本体のどちらに設けられてもよい。また、保持手段の係止凸部および弾性体は、それぞれ上蓋および器具本体の一方または他方のどちらに設けられてもよい。
【００１１】
光源は、上蓋および器具本体のどちらに配設されてもよい。
【００１２】
固定手段の枢着部は、上蓋および器具本体の一方を他方に回動自在に支持するものであり、例えば蝶番である。また、ラッチ装置は、係止部を被係止部に引っ掛けるようにしているもの、孔（開口）に棒などの支持部材を挿通させるものなど、上蓋および器具本体を開閉自在に組み付けるものであればよい。
【００１３】
保持手段の係止凸部は、板状や棒状など、突出形状は問わない。また、先端側を屈曲させるなど、先端側の形状も問わない。すなわち、弾性体の係止部に係合可能な形状であればよく、例えば針金等で形成されたものであってもよい。
【００１４】
保持手段の弾性体は、弾性変形および弾性復帰すると共に、係止凸部に係合する係止部を有する構成であればよく、この係止部は、例えば切り欠き、段差、孔、開口などに形成されてもよい。また、弾性体は、ステンレスやチタンなどの金属板に限らず、プラスチック板や木材などで形成されてもよい。
【００１５】
弾性体の自由端側は、上蓋で器具本体の上部開口が閉塞されるときに、係止凸部に当接して係止凸部による押圧により係止凸部の突出方向（弾性体の両脚部が接近する方向）に弾性変形する。そして、係止凸部が係止部に係合可能な位置となったときに弾性復帰する。これにより、係止凸部が係止部に係合され、上蓋および器具本体の閉塞状態が保持される。
【００１６】
保持手段による上蓋および器具本体の保持を解除するときは、まず、ラッチ装置を取り外した後、弾性体の自由端側を手等で掴み、係止凸部の突出方向に弾性変形させ、係止凸部が係止部に係合しなくなる位置となったときに、上蓋を器具本体の上部開口から開くようにする。次に、手等での弾性体の自由端側の掴みを解除する。これにより、弾性体の自由端側は弾性復帰し、以後、上蓋および器具本体の開きがさらに可能となる。
【００１７】
本発明によれば、弾性体は、略Ｕ字状に形成され、一方の脚部が固定され、他方の脚部が係止凸部に係合する係止部を有して自由端に形成されるので、ストロークが長くなり、弱い力でも弾性変形される。そして、強風や振動等により、ラッチ装置による上蓋および器具本体の組み付けが外れて、上蓋および器具本体が開こうとしても、保持手段の係止凸部および係止部の係合により、上蓋および器具本体の開きが阻止される。したがって、枢着部およびラッチ装置の固定手段と、係止凸部および弾性体の保持手段により、灯具の二重ロックが形成される。
【００１８】
請求項２に記載の照明器具の発明は、上蓋と、上蓋によって開閉される上部開口および透光性カバーによって閉塞された投光開口を有する器具本体とを有してなる灯具と；灯具に収納され、投光開口より放射光を出射する光源と；灯具の一端側に設けられて上蓋または器具本体を回動自在に軸支する枢着部および灯具の他端側に設けられて上蓋および器具本体を開閉自在に組み付けるラッチ装置を有する固定手段と；ラッチ装置側の位置であって上蓋および器具本体の一方に設けられた係止凸部と、略Ｕ字状に形成され、一方の脚部は上蓋および器具本体の他方に固定されるとともに、他方の脚部は係止凸部に係合する開口部を有して自由端とされた弾性体とを有してなり、上蓋で器具本体の上部開口を閉塞することによって、弾性体の自由端側は、係止凸部に押圧されて両脚部が接近する方向に変形し、係止凸部が開口部に係合可能な位置となったときに弾性復帰するように形成されている保持手段と；を具備していることを特徴とする。
【００１９】
弾性体の自由端側は、上蓋で器具本体の上部開口が閉塞されるときに、係止凸部に当接して係止凸部による押圧により係止凸部の突出方向に弾性変形する。そして、係止凸部が開口部に位置したときに弾性復帰する。これにより、係止凸部が開口部に挿通される。そして、係止凸部が開口部の自由端側の開口辺に当接することにより、上蓋および器具本体の開きが阻止される。開口辺は、係止凸部が係合される係止部となっている。
【００２０】
係止凸部の開口部での挿通位置は、特に限定されないが、その挿通位置においては、係止凸部の外面および開口部の前記開口辺に小距離を有するとよい。すなわち、当該小距離は、ラッチ装置により上蓋および器具本体を固定する（押し込む）範囲となっている。上蓋および器具本体の少なくとも一方の開口端には、防水用パッキンが設けられており、パッキンの弾性復帰力とラッチ装置による押圧力により、灯具の気密が保持される。これにより、灯具は、防水される。
【００２１】
そして、上蓋および器具本体を開くときは、ラッチ装置を取り外した後、弾性体の自由端側を手等で掴み、係止凸部の突出方向に弾性変形させ、係止凸部が開口部に挿通しなくなったときに、上蓋および器具本体を開くようにする。次に、手等での弾性体の自由端側の掴みを解除する。これにより、弾性体の自由端側は弾性復帰し、以後、上蓋および器具本体の開きがさらに可能となる。
【００２２】
本発明によれば、弾性体は、略Ｕ字状に形成され、一方の脚部が固定され、他方の脚部が係止凸部に係合する開口部を有して自由端に形成されるので、ストロークが長くなり、弱い力で弾性変形される。そして、強風や振動等により、ラッチ装置による上蓋および器具本体の組み付けが外れて上蓋および器具本体が開こうとすると、保持手段の係止凸部が開口部の自由端側の開口辺に当接し、上蓋および器具本体の開きが阻止される。したがって、枢着部およびラッチ装置の固定手段と、係止凸部および弾性体の保持手段により、灯具の二重ロックが形成される。
【００２３】
請求項３に記載の照明器具の発明は、請求項１または２記載の照明器具において、係止凸部は、ラッチ装置のクランプ金具が取り付けられている取付基板に設けられていることを特徴とする。
【００２４】
本発明によれば、係止凸部は、ラッチ装置のクランプ金具が取り付けられている取付基板に設けられているので、ラッチ装置側に保持手段が形成される。
【００２５】
【発明の実施の形態】以下、本発明の一実施の形態について、図面を参照して説明する。まず、本発明の第１の実施形態について説明する。
【００２６】
図１〜図９は、本発明の第１の実施形態を示し、図１は照明器具の概略外観図、図２は照明器具であり、（ａ）は上面図、（ｂ）は左側面図、（ｃ）は右側面図、図３は枢着部における照明器具の概略要部斜視図、図４はラッチ装置の斜視図、図５は係止凸部が設けられた取付基板の斜視図、図６はラッチ装置の組付における照明器具の一部省略要部側面断面図、図７は弾性体であり、（ａ）は正面図、（ｂ）は側面図、図８は弾性体の取付部における照明器具の概略要部斜視図、図９は保持手段の配設状態を示す照明器具の概略要部斜視図である。
【００２７】
図１において、照明器具１は、直線形ポール用の道路灯であり、灯具２、光源としての高圧放電ランプ３、固定手段を形成する枢着部４（図示しない。）およびラッチ装置５、保持手段を形成する係止凸部６（図示しない。）および弾性体７（図示しない。）を有して構成されている。
【００２８】
灯具２は、ともにアルミダイキャストで形成された上蓋８および器具本体９を有して形成されている。上蓋８は、下端側８Ａに開口端８Ｃを有し、上端側８Ｂが閉塞されて、概略さじ状に形成されている。器具本体９は、上端側９Ａに上蓋８によって開閉される上部開口（図示しない。）を有している。また、器具本体９は、下端側９Ｂに上蓋８と対向するように投光開口１０が形成され、この投光開口１０を閉塞するようにして例えば強化ガラスからなる透光性カバー１１が配設されている。そして、灯具２は、上蓋８および器具本体９により内部空間が形成されている。
【００２９】
また、器具本体９は、一端側９Ｄにポール受け部（図示しない。）が形成されており、このポール受け部において直線形ポール１２に固定されている。さらに、一端側９Ｄの内部にランプソケット１３が配設されている。ランプソケット１３は、高圧放電ランプ３が前記内部空間に露出するようにして、高圧放電ランプ３を装着している。
【００３０】
高圧放電ランプ３は、例えばメタルハライドランプや高圧ナトリウムランプであり、上記のようにして灯具２に収納されている。そして、点灯により発した放射光は、器具本体９の投光開口１０より外部空間に出射される。
【００３１】
固定手段は、上蓋８を直線形ポール１２に固定されている器具本体９に開閉自在に固定するものであり、図２に示すように、枢着部４およびラッチ装置５により構成されている。枢着部４およびラッチ装置５は、それぞれ灯具２の一端側２Ｄおよび他端側２Ｅに設けられている。
【００３２】
枢着部４は、灯具２の一端側２Ｄに設けられた２個の蝶番からなり、図３に示すように、蓋体８および器具本体９を連結するとともに、支持軸１４を支点として蓋体８を器具本体９に回動自在に軸支している。
【００３３】
ラッチ装置５は、灯具２の他端側２Ｅに１個設けられ、図４に示すように、開閉金具１５、開閉金具１５を回転伸縮させるクランプ金具１６、クランプ金具１６を開閉金具１５に取り付ける略Ｌ形の取付金具１７およびクランプ金具１６を回動自在に支持して器具本体９に取り付けられる取付基板１８を有して構成されている。
【００３４】
開閉金具１５は、先端側が略Ｌ字状の係止部１９に形成され、取付金具１７をねじ２０で固定することにより、クランプ金具１６に連結されている。そして、取付基板１８は、図５に示すように、器具本体９の一端側９Ｅの内部において、挿通孔２１，２１に挿通されたねじ２２，２２が器具本体９のねじ部（図示しない。）に螺合されることにより、器具本体９に固定されている。これにより、ラッチ装置５は、器具本体９の他端側９Ｅに配設されている。
【００３５】
そして、蓋体８の他端側８Ｅには、図６に示すように、開閉金具１５の係止部１９を係止可能に被係止部２３が形成されている。上蓋８で器具本体９の上部開口が閉塞されているときに、すなわち上蓋８を器具本体９に閉じている（被着している）ときに、開閉金具１５の係止部１９を蓋体８の被係止部２３に係止することにより、蓋体８は、器具本体９に固定される。そして、当該係止を解除することにより、蓋体８を器具本体９から開放する（開く）ことが可能となっている。このように、ラッチ装置５は、上蓋８および器具本体９を開閉自在に組み付けるものである。
【００３６】
上述したように、蓋体８は、枢着部（蝶番）４の支持軸１４を支点として他端側８Ｅが器具本体９に対して開閉されるともに、枢着部（蝶番）４およびラッチ装置５により器具本体９に固定可能となっている。
【００３７】
保持手段は、上蓋８で器具本体９の上部開口を閉塞することによって、すなわち上蓋８を器具本体９に閉じることによって、蓋体８を器具本体９に保持（固定）するものであり、係止凸部６および弾性体７により構成されている。係止凸部６は、ラッチ装置５によって覆われる器具本体９の他端側９Ｅの位置に設けられ、図５に示すように、板状の突片がラッチ装置５の取付基板１８に一体的に設けられている。そして、係止凸部６の突出方向は、器具本体９の他端側９Ｅの方向となっている。
【００３８】
また、弾性体７は、金属板例えば厚さ０．６ｍｍのステンレス板からなり、図７（ａ）に示すように、中間部７ｃに一端側７ａから他端側７ｂに向けて切り欠き部（開口部）２４が形成され、図７（ｂ）に示すように、一端側７ａが略Ｕ字状に屈曲（形成）されて、脚部７Ａ，７Ｂを有するように形成されている。そして、脚部７Ｂの先端側は自由端に形成され、この自由端側は屈曲部２５に形成されている。切り欠き部（開口部）２４は、係止凸部６が挿通可能な大きさに形成されている。そして、脚部７Ａには、挿通孔２６が設けられている。
【００３９】
弾性体７は、図８に示すように、蓋体８の他端側８Ｅの内部に立設されているボルト２７に挿通孔２６が挿入され、ボルト２７に螺合されたナット２８により蓋体８に脚部７Ａが固定されている。このとき、弾性体７は、係止凸部６が切り欠き部（開口部）２４を略直交して挿通することができるように蓋体８に取り付けられている。また、脚部７Ｂの屈曲部２５は、係止凸部６の突出方向となるように形成されている。そして、弾性体７は、一方の脚部７Ａに設けられた挿通孔２６側を支点として他方の脚部７Ｂの自由端側が係止凸部６の突出方向に弾性変形するように所定の板厚例えば０．６ｍｍを有している。そして、弾性体７の当該支点および自由端間の周回距離は長い（ストロークが長い）ので、自由端側は容易に弾性変形および弾性復帰するものである。
【００４０】
係止凸部６および弾性体７からなる保持手段は、図６または図９に示すように、ラッチ装置５と同一箇所のそれぞれ器具本体９の他端側９Ｅおよび蓋体８の他端側８Ｅに配設されている。
【００４１】
次に、本発明の第１の実施形態の作用について述べる。
【００４２】
図１０は、係止凸部６および弾性体７による蓋体８および器具本体９の保持（固定）および保持（固定）の解除を示すものである。
【００４３】
弾性体７は、一方の脚部７Ａが蓋体８に固定されているので、蓋体８で器具本体９の上部開口を閉塞するときに、すなわち蓋体８を器具本体９に対して閉めるときに、蓋体８に伴って、弾性体７がラッチ装置５の取付基板１８に設けられている係止凸部６に近づき、その後、図１０（ａ）に示すように、他方の脚部７Ｂの屈曲部２５が係止凸部６に当接する。
【００４４】
蓋体８が器具本体９に対してさらに閉められると、図１０（ｂ）に示すように、係止凸部６は取付基板１８と一体であるので、他方の脚部７Ｂが係止凸部６で押圧されて係止凸部６の突出方向に変形していく。すなわち、弾性体７の自由端側は、両脚部７Ａ，７Ｂが接近する方向に変形していく。このとき、屈曲部２５は、係止凸部６の突出方向となるように屈曲されて形成されているので、屈曲部２５が係止凸部６に当接し、蓋体８がさらに閉められるときに、脚部７Ｂを容易に係止凸部６の突出方向に変形させる。
【００４５】
蓋体８が閉められるにしたがい、係止凸部６は、脚部７Ｂを摺動して切り欠き部（開口部）２４に近づく。そして、係止凸部６が切り欠き部２４を挿通可能な位置となったときに、すなわち係止凸部６が切り欠き部２４に係合可能な位置となったときに、係止凸部６による脚部７Ｂの押圧が解除され、図１０（ｃ）に示すように、弾性体７の屈曲部２５が係止凸部６に当接する前の状態に弾性復帰する。これにより、係止凸部６は、切り欠き部２４を略直交して挿通する。
【００４６】
そして、蓋体８で器具本体９の上部開口が閉塞されて、蓋体８が器具本体９に対して完全に閉められると、図１０（ｄ）に示すように、係止凸部６は、自身の外面と切り欠き部２４の係止部としての底辺２４ａとの距離Ｌ１が小距離例えば２〜５ｍｍを有して、切り欠き部２４に挿通される。
【００４７】
そして、器具本体９の他端側９Ｅに設けられたラッチ装置５の開閉金具１５の係止部１９を蓋体８の他端側８Ｅに形成されている被係止部２３に引っ掛け、開閉金具１５を器具本体９側に回動させることにより、図６に示すように、蓋体８は、ラッチ装置５を介して器具本体９に固定される。
【００４８】
通常、蓋体８は、ラッチ装置５により器具本体９に固定されているので、蓋体８が自然に開くことが防止されている。しかしながら、強風や振動等により、ラッチ装置５の開閉金具１５の係止部１９が蓋体８の被係止部２３から取り外れることがある。このとき、蓋体８が器具本体９から開こうとする。
【００４９】
蓋体８が器具本体９から開こうとすると、図１０（ｅ）に示すように、係止凸部６の外面が切り欠き部２４の底辺（係止部）２４ａに当接する。すなわち、係止凸部６が切り欠き部２４の底辺２４ａに係合する。係止凸部６が設けられているラッチ装置５の取付基板１８は、器具本体９に固定され、弾性体７は、蓋体８に固定されているので、前記当接により、蓋体８が器具本体９から開放されることが阻止される。こうして、係止凸部６および弾性体７からなる保持（固定）手段は、枢着部（蝶番）４およびラッチ装置５からなる固定手段と共に、蓋体８および器具本体７の二重ロック（二重固定）を形成する。
【００５０】
そして、図１０（ｄ）において、係止凸部６の外面と切り欠き部２４の底辺２４ａは、距離Ｌ１を有しているので、この距離Ｌ１内において、蓋体８を器具本体９に押し込むことが可能である。上蓋８の開口端８Ｃ側には、図８に示すように、防水用のパッキン２９が配設されている。そして、蓋体８で器具本体９の上部開口を閉塞したときに、この上部開口の開口端にパッキン２９が当接する。そして、ラッチ装置５より蓋体８および器具本体９を固定したときに、パッキン２９は、ラッチ装置５による押圧力により弾性変形される。このラッチ装置５の押圧力とパッキン２９の弾性復帰力により、蓋体８の開口端８Ｃおよび器具本体９の上部開口における気密が保持される。すなわち、灯具２は防水される。
【００５１】
そして、蓋体８を器具本体９から開くときは、ラッチ装置５の係止部１９を蓋体８の被係止部２３から取り外して、ラッチ装置５の開閉金具１５を開いた状態で、図１０（ｆ）に示すように、弾性体７の屈曲部２５（脚部７Ｂ）を手等で掴み、係止凸部６の突出方向に押圧して脚部７Ｂを弾性変形させる。そして、図１０（ｇ）に示すように、係止凸部６が切り欠き部２４に挿通しなくなったときに、蓋体８を器具本体９から開くようにする。
【００５２】
そして、弾性体７の屈曲部２５が係止凸部６に当接しない位置まで、蓋体８が器具本体９から開いたとき、図１０（ｈ）に示すように、弾性体７の屈曲部２５（脚部７Ｂ）を手等で掴むことを止める。これにより、弾性体７の脚部７Ｂが弾性復帰して弾性変形される前の状態となり、蓋体８を器具本体９からさらに開くことが可能となる。
【００５３】
上述したように、強風や振動等により、ラッチ装置５による蓋体８および器具本体９の固定（組付）が外れても、弾性体７の切り欠き部（開口部）２４に挿通している係止凸部６の外面が切り欠き部２４の底辺（係止部）２４ａに当接（係合）するので、蓋体８が器具本体９から開放されることが阻止される。そして、弾性体７は、略Ｕ字状に形成され、脚部７Ａ，７Ｂを有して形成されているので、ストロークが長く、容易に弾性変形および弾性復帰する軟性を有している。これにより、係止凸部６は、蓋体８を器具本体９に閉じることにより、自動的に切り欠き部２４に挿通される。したがって、蓋体８および器具本体９の保持（固定）に対して手間を要しない。そして、係止凸部６および弾性体７による蓋体８および器具本体９の保持（固定）の解除は、弾性体７のストロークが長く、弾性体７を手等で容易に弾性変形させることができるので、容易である。また、当該解除は、人為的にしかできないので、蓋体８および器具本体７のロックが良好なものとなっている。
【００５４】
そして、係止凸部６は、器具本体９の他端側９Ｅの内部において、ラッチ装置５のクランプ金具１６が取り付けられている取付基板１８に形成されているので、弾性体７が蓋体８の他端側８Ｅに設けられて、ラッチ装置５と同一箇所に、蓋体８および器具本体９の保持（固定）手段が形成される。したがって、灯具２にスペースを要することなく、枢着部（蝶番）４およびラッチ装置５からなる固定手段と、係止凸部６および弾性体７からなる保持手段とによる蓋体８および器具本体９の二重ロックが形成される。
【００５５】
なお、係止凸部６およびラッチ装置５を蓋体８に設け、弾性体７およびラッチ装置５の被係止部２３を器具本体９に設けるようにしてもよい。すなわち、係止凸部６がラッチ装置５側に設けられたとき、蓋体８および器具本体９において、弾性体７は、ラッチ装置５が取り付けられていない方に固定される。
【００５６】
次に、本発明の第２の実施形態について述べる。
【００５７】
図１１は、本発明の第２の実施形態を示す弾性体であり、（ａ）は正面図、（ｂ）は側面図である。なお、図７と同一部分には同一符号を付して説明は省略する。
【００５８】
図１１に示す弾性体３０は、図７に示す弾性体７において、切り欠き部２４に代えて、中間部３０ｃに係止凸部６が挿通可能な開口部３１が形成されたものであり、脚部３０Ａ（一端側３０ａ）および脚部３０Ｂ（他端側３０ｂ）は、弾性体７の脚部７Ａ（一端側７ａ）および脚部７Ｂ（他端側７ｂ）と同様に形成されている。弾性体７は、図８に示すように、脚部７Ａ（一端側７ａ）に蓋体８からの突出部（干渉部）３２がある場合に使用され、一方、弾性体３０は、脚部３０Ａ（一端側３０ａ）に当該突出部（干渉部）３２がない場合に使用することができる。
【００５９】
弾性体３０は、弾性体７と同様な作用を有し、係止凸部６の外面が開口部３１の屈曲部２５側の係止部としての開口辺３１ａに当接（係合）される。この当接により、ラッチ装置５が取り外れても、上蓋８が器具本体９より開放されることが阻止される。
【００６０】
次に、本発明の第３の実施形態について述べる。
【００６１】
図１２は、本発明の第３の実施形態を示す弾性体であり、（ａ）は正面図、（ｂ）は側面図である。なお、図７と同一部分には同一符号を付して説明は省略する。
【００６２】
図１２に示す弾性体３３は、図７に示す弾性体７において、切り欠き部２４に代えて、中間部３３ｃに係止凸部６が挿入可能な凹部３４が形成されたものであり、脚部３３Ａ（一端側３３ａ）および脚部３３Ｂ（他端側３３ｂ）は、弾性体７の脚部７Ａ（一端側７ａ）および脚部７Ｂ（他端側７ｂ）と同様に形成されている。
【００６３】
弾性体３３は、弾性体７と同様な作用を有し、係止凸部６の外面が凹部３４の屈曲部２５側の係止部としての底面３４ａに係合される。この係合により、ラッチ装置５が取り外れても、上蓋８が器具本体９より開放されることが阻止される。
【００６４】
なお、上記第１〜第３の実施形態において、自由端側を屈曲部２５に形成しないで、係止凸部６に傾斜面を形成するようにしてもよい。この場合、自由端とされる脚部の先端側は、係止凸部６に当接したときに係止凸部６の傾斜面に沿って弾性変形していく。
【００６５】
次に、本発明の第４の実施形態について述べる。
【００６６】
図１３は、本発明の第４の実施形態を示す保持手段の係止凸部および弾性体の概略斜視図である。なお、図７と同一部分には同一符号を付して説明は省略する。
【００６７】
図１３に示す弾性体３５は、図７に示す弾性体７において、切り欠き部２４を設けず、脚部３５Ｂの自由端を屈曲させて係止部としての係止片３６に形成したものである。そして、係止凸部３７は、先端側を係止片３６に係合することのできる屈曲部３８に形成したものである。そして、脚部３５Ａ（一端側３５ａ）および脚部３５Ｂ（他端側３５ｂ）は、弾性体７の脚部７Ａ（一端側７ａ）および脚部７Ｂ（他端側７ｂ）と略同様に形成されている。
【００６８】
弾性体３５は、係止片３６が係止凸部３７の屈曲部３８に当接した後、係止凸部３８に押圧されて脚部３５Ｂが弾性変形する。そして、係止凸部３７の屈曲部３８の背面３８ａ側が係止片３６の背面３６ａ側に位置するようになったときに、脚部３５Ｂが弾性復帰する。この結果、係止凸部３７の屈曲部３８の背面３８ａが弾性体３５の係止片３６の背面３６ａに係合される。この係合により、ラッチ装置５が取り外れても、上蓋８が器具本体９より開放されることが阻止される。
【００６９】
上述のように、保持手段の弾性体は、自由端とされる脚部において、係止凸部に係合する係止部を有するように形成されていればよいものである。
【００７０】
【発明の効果】請求項１の発明によれば、保持手段の弾性体は、略Ｕ字状に形成され、一方の脚部が固定され、他方の脚部が係止凸部に係合する係止部を有して自由端に形成されているので、ストロークが長くなり、弱い力で容易に弾性変形させることができるとともに、強風や振動等により、ラッチ装置による上蓋および器具本体の組み付けが外れて、上蓋および器具本体が開こうとしても、係止凸部および弾性体の係止部の係合により、上蓋および器具本体の開きを阻止することができ、枢着部およびラッチ装置の固定手段と共に、灯具の二重ロックを形成することができる。
【００７１】
請求項２の発明によれば、保持手段の弾性体は、略Ｕ字状に形成され、一方の脚部が固定され、他方の脚部が係止凸部に係合する開口部を有して自由端に形成されているので、ストロークが長くなり、弱い力で容易に弾性変形させることができるとともに、強風や振動等により、ラッチ装置による上蓋および器具本体の組み付けが外れて、上蓋および器具本体が開こうとしても、係止凸部が弾性体の開口部の開口辺に係合することにより、上蓋および器具本体の開きを阻止することができ、枢着部およびラッチ装置の固定手段と共に、灯具の二重ロックを形成することができる。
【００７２】
請求項３の発明によれば、凸部は、ラッチ装置のクランプ金具が取り付けられている取付基板に設けられているので、ラッチ装置側に保持手段を形成することができる。
【図面の簡単な説明】
【図１】本発明の第１の実施形態を示す照明器具の概略外観図。
【図２】同じく、照明器具であり、（ａ）は上面図、（ｂ）は左側面図、（ｃ）は右側面図。
【図３】同じく、枢着部における照明器具の概略要部斜視図。
【図４】同じく、ラッチ装置の斜視図。
【図５】同じく、係止凸部が設けられた取付金具の斜視図。
【図６】同じく、ラッチ装置の組付における照明器具の一部省略要部側面断面図。
【図７】同じく、弾性体であり、（ａ）は正面図、（ｂ）は側面図。
【図８】同じく、弾性体の取付部における照明器具の概略要部斜視図。
【図９】同じく、保持手段の配設状態を示す照明器具の概略要部斜視図。
【図１０】同じく、保持手段による保持の形成および保持の解除を示す説明図。
【図１１】本発明の第２の実施形態を示す弾性体であり、（ａ）は正面図、（ｂ）は側面図。
【図１２】本発明の第３の実施形態を示す弾性体であり、（ａ）は正面図、（ｂ）は側面図。
【図１３】本発明の第４の実施形態を示す保持手段の係止凸部および弾性体の概略斜視図。
【符号の説明】
１…照明器具、２…灯具、３…光源としての高圧放電ランプ、４…固定手段を形成する枢着部、５…固定手段を形成するラッチ装置、６，３７…保持手段を形成する係止凸部、７，３０，３３，３５…保持手段を形成する弾性体
【図１】
2004342469.tif 000003
【図２】
2004342469.tif 000004
【図３】
2004342469.tif 000005
【図４】
2004342469.tif 000006
【図５】
2004342469.tif 000007
【図６】
2004342469.tif 000008
【図７】
2004342469.tif 000009
【図８】
2004342469.tif 000010
【図９】
2004342469.tif 000011
【図１０】
2004342469.tif 000012
【図１１】
2004342469.tif 000013
【図１２】
2004342469.tif 000014
【図１３】
2004342469.tif 000015